(57)【要約】      （修正有）【課題】化学的成分を用いず、ベチバーの根の有する消臭機能を活用しつつ、靴などの密封空間の部位を有する衣服の臭いを消臭できる衣服用消臭剤を提供する。【解決手段】本考案の衣服用消臭剤１は、通気性を有する通気孔を備える収容袋２と、収容袋２に収容される乾燥されたベチバーの根の裁断物および粉砕物の少なくとも一つ４と、を備え、収容袋２は、裁断物および粉砕物の少なくとも一つ４を収容する内部空間と、内部空間の外周を封止する封止部を有する袋状部材であり、衣服が有する内部空間に装入して使用される。【選択図】図１
0003187303.tif 000002
【実用新案登録請求の範囲】
【請求項１】
通気性を有する通気孔を備える収容袋と、
前記収容袋に収容される乾燥されたベチバーの根の裁断物および粉砕物の少なくとも一つと、を備え、
前記収容袋は、前記裁断物および前記粉砕物の少なくとも一つを収容する内部空間と、前記内部空間の外周を封止する封止部を有する袋状部材であり、
衣服が有する内部空間に装入して使用される、衣服用消臭剤。
【請求項２】
前記収容袋は、収容している前記ベチバーの根の裁断物および粉砕物の少なくとも一つを外部に漏れ出さないように封止する、請求項１記載の衣服用消臭剤。
【請求項３】
前記収容袋は、靴の中、衣服のポケットの中に装入可能な大きさを有する、請求項１又は２記載の衣服用消臭剤。
【請求項４】
前記衣服は、靴、ズボン、上着、シャツのいずれかであり、前記収容袋の装入空間もしくは外部との連通困難な部位を有する、請求項１から３のいずれか記載の衣服用消臭剤。
【請求項５】
前記乾燥されたベチバーの根は、芳香成分が除去されている、請求項１から４のいずれか記載の衣服用消臭剤。
【請求項６】
前記ベチバーの根は、天日もしくは乾燥室において乾燥される、請求項１から５のいずれか記載の衣服用消臭剤。
【請求項７】
前記乾燥されたベチバーの根の裁断物および粉砕物の少なくとも一つは、常温で裁断もしくは粉砕加工される、請求項１から６のいずれか記載の衣服用消臭剤。
【請求項８】
前記乾燥されたベチバーの根の裁断物および粉砕物の少なくとも一つは、氷温もしくは氷温以下の温度で裁断もしくは粉砕加工される、請求項１から６のいずれか記載の衣服用消臭剤。
【請求項９】
前記収容袋は、芳香素材を更に収容する、請求項１から８のいずれか記載の衣服用消臭剤。
【請求項１０】
前記芳香素材は、ミント、イランイランおよび精油の少なくとも一つである、請求項９記載の衣服用消臭剤。
【請求項１１】
前記芳香素材は、ベチバーの根の水溶性抽出液を含む、請求項９記載の衣服用消臭剤。
【請求項１２】
前記衣服用消臭剤は、使い捨てもしくは持ち出し可能である、請求項１から１１のいずれか記載の衣服用消臭剤。
【考案の詳細な説明】
【技術分野】
【０００１】
本考案は、消臭機能を有する消臭剤であって、乾燥したベチバーの根の裁断物もしくは粉砕物を主成分とする消臭剤に関する。
【背景技術】
【０００２】
近年、体臭、ペットの臭い、タバコの臭い、飲食物の臭いなどに敏感に反応する人が増えている傾向がある。体臭であれば、自身から発せられる各人特有のにおいであったり、加齢臭であったりする。清潔感や衛生感を重視する傾向が強まるにつれ、自身から発せられる臭いを抑えたいという欲求が高まっている。この欲求は、日本社会の高齢化に伴って、ますます増加すると考えられる。
【０００３】
加えて、都市型生活の進歩や都市部への人口集中に伴って、都市部での通勤、通学、移動などにより、様々な場所で汗をかくことも増えている。加えて、都市部では、このように汗をかいてもその場で着替えたり汗をきれいにふき取ったりすることも難しい。この結果、僅かな時間の間に、汗に基づく体臭が発生したり、この汗が体臭と相まって衣服（着衣や靴）に留まったりすることもある。こうなると、人体からも衣服からも臭いが発生することになってしまう。
【０００４】
このような汗に基づく臭いを気にする人や機会が増えている。特に、この都市型生活の進歩や都市部への人口集中によって、他人との物理的な距離が縮まり、様々な場所で生じる雑踏で、他人との接触距離が近づく傾向がある。
【０００５】
このように、他人との接触距離が近づけば、自身の発する臭いが、相手に届いているのではないかという不安を持つ人が増える傾向がある。逆に、他人からの臭いを気にする人も多くなっている。このような状況で、自身の臭いを抑えたいとの欲求を持つ機会が増えている。
【０００６】
体臭には、様々なものがあるが、汗を起因とする体臭は、他人にとっては特に不快であることが多い。加齢臭なども汗と身体の細胞との化学反応で生じると考えられている。汗は、人が不快に思う様々な臭いの元となりやすい。更に、汗をかいた人体からの直接的な臭い（体臭）だけでなく、汗を吸収した衣服からの間接的な臭いも、周囲の人にとっては不快の原因となることが多い。汗は、様々な種類と経路で、周囲に不快な臭いを生じさせる。
【０００７】
ここで、臭いの元となる汗をかいて、汗を吸収した衣服の内、アンダーウェアやシャツなどは、１日の終わりには着替えることができる。また、自宅から外出して自宅に戻る場合には、汗を吸収したシャツやアンダーウェアは、着替えられる上に、洗濯することもできる。すなわち、これらの衣服を着ていた人も、汗を吸収した衣服から開放されて、臭いの発生から開放される。
【０００８】
また、このようなアンダーウェアやシャツなどは、日々洗濯されることで、吸収した汗や汗によって生じる臭い成分を洗い流すことができる。このため、汗や人体から付着する臭い成分に基づく臭いを、衣服が発することが、洗濯によってリセットできる。
【０００９】
しかしながら、衣服においては日々の洗濯の困難なものもある。例えば、ジャケットなどの上着やズボンなどである。また、洗濯が困難であるだけでなく、閉鎖空間となっている靴などの衣服もある。前者のジャケットやズボンなどは、家庭での日々の洗濯が難しいことによって、汗の吸収が増えていき、臭いの発生が強くなっていく問題を有している。後者の靴は、洗濯が困難であるだけでなく、閉鎖空間を有しているので、外気にもさらされにくい。このため、吸収している汗や水分を、外気によって乾かすことも難しい。
【００１０】
このように、日々の家庭での洗濯が困難な上着やズボン、あるいは洗濯はおろか外気で乾かすことも難しい靴などは、人体からの汗を大量に吸収したままとなっている。このため、これらの衣服は、臭いの元を日々蓄積してしまっている。
【００１１】
これら上着、ズボン、靴などの衣服は自宅では洗濯や乾燥が困難であるが、軽く天日に当てるなどで対応することもできる。しかしながら、出張先などではホテルに宿泊することが多く、天日で乾かすことも難しい。特に、ホテルの部屋はベランダ等もなく、窓も開けられないことも多い。また、室内も狭いので、これら上着、ズボン、靴などを外気に十分に当てることも難しい。
【００１２】
また、ホテルにおいては、これら上着、ズボン、靴などの衣服だけでなく、シャツなども洗濯できない問題がある。このため、アンダーウェアなどを除けば、出張先や旅行先でホテル等に宿泊する場合には、汗を吸収した衣服の洗濯や乾燥が困難である。この結果、出張先や旅行先でホテル等に宿泊する場合には、衣服は臭いの元となる汗を吸収したままである。この汗を吸収した状態で水分が蒸発すると、汗などの有する臭いの元となる成分のみが衣服に残ってしまう。
【００１３】
出張や旅行期間が長くなれば、この臭いの元となる汗の成分の蓄積が多くなり、衣服の臭いが次第に気になるようになってくる。特に、靴は、出張や旅行に出る前から汗を吸収しているので、蓄積している汗や臭い成分は非常に多い。自宅にいれば、衣服や靴を変えることもできるが、出張先や旅行先では難しい。
【００１４】
このように、出張先や旅行先においては、汗や臭い成分を蓄積した衣服（着衣や靴）の臭いの問題に悩まされることが多い。臭いがあることは、本人はもちろん周囲の人にも不快感を与えるからである。また、臭いが生じている衣服を身に付けることも、非常な不快感を生じさせるものである。
【００１５】
このため、ホテルや旅館などにおいては、液体スプレー式の消臭剤などが設置されていることが多い。
【００１６】
ここで、ホテルの部屋などに設置される消臭剤は、化学的成分を主成分とするものが多い。化学合成された主成分を含む消臭剤は、不快な臭いと異なる臭いを生じさせて悪臭を気付きにくくしたり、悪臭の原因を分解したりする。化学合成された化学的成分が、これらの機能を生じさせるので、臭いに気付きにくくなったり、臭いが消えたりする点では、高い効果を生じさせる。
【００１７】
しかしながら、これらの化学合成された化学的成分を主成分とする消臭剤は、主成分が化学的成分であるために、副作用を生じさせることもある。例えば、化学的成分が、アレルギーを生じさせたり、臭い以外の不快感を生じさせたりすることがある。化学的成分を主成分とする消臭剤では、これらの副作用が全て事前確認されることは難しい。
【００１８】
また、液体スプレー式の消臭剤では、噴霧状の液体を衣服に振り掛けることになる。一方で、衣服には液体である汗が染み込んでおり、液体に液体が付与されることになってしまう。このため、液体スプレー式の消臭剤を付与すると、この液体の消臭剤と液体の汗が混ざって、より湿った状態が生じてしまう。
【００１９】
この湿った状態によって、ホテルの部屋などでは乾きにくくなってしまう。特に、靴のような密閉空間の部位を有する衣服の場合には、液体の消臭剤を振り掛けても、却って湿気が増してしまい、履くときには高い不快感が生じてしまう。
【００２０】
また、臭いの元となる液体である汗に液体の消臭剤が混ざってしまうと、液体同士による化学反応によって、汗による臭いが却って強くなることもありえる。特に、化学合成された化学的成分を主成分とする消臭剤は、この化学成分が汗やその成分と化学反応を生じさせて、ある種の臭いは抑えられるが、別の種の臭いが生じたり強くなったりしてしまう問題もある。このため、ホテルに設置されている化学的成分を主成分とする液体式の消臭剤は、密封空間の部位を有する靴のような衣服や、乾かしにくい衣服においては、好ましくないことが多い。
【００２１】
一方、自然志向の高まりに伴って、化学的成分を主成分とする消臭剤よりも、天然成分を主成分とする消臭剤が求められるようになってきている。消臭されるという機能が発揮されるとしても、化学的成分よりも天然成分を主成分とする消臭剤の方が、現代人の嗜好にあってきている。これは、我が国だけでなく、他国においても同様であり、特に先進国や新興国などの文化の成熟度が高い国において同様である。
【００２２】
このような状況において、天然成分を主成分とする消臭剤が求められている。しかしながら、天然成分は、様々に存在する上に、精製の難しさや配合の難しさといった問題を有している。また、天然成分は、その消臭機能が万能であるのか、特定の臭いにしか効果を有しないのかの判断が難しい問題も有している。加えて、消臭効果を実験で確認することができても、その消臭メカニズムを解析することが難しい場合も多い。
【００２３】
このように、天然成分を主成分とする消臭剤が求められているが、主たる技術が確立されてこなかったのが実情である。このため、家庭はもちろんのこと、ホテルや旅館などに設置される消臭剤は、まだまだこのような化学的成分を主成分とするものが多い。
【００２４】
このような中、イネ科の多年草であるベチバーが、高い消臭成分を有するとして、着目されている。ベチバーの根が有する成分が、消臭成分、芳香成分を有することが知られるようになっている。このため、ベチバーの根を乾燥させたものや、乾燥したベチバーの根の抽出液などが、消臭剤に応用できることが提案されている（例えば、特許文献１参照）。
【先行技術文献】
【特許文献】
【００２５】
【特許文献１】特開２０１０−９４５０６号公報
【考案の概要】
【考案が解決しようとする課題】
【００２６】
特許文献１は、ベチバー植物の抽出物を含む消臭剤を開示する。イネ科の多年草であるベチバーの根には、消臭成分があることが分析されている。特許文献１は、この消臭成分に着目した消臭剤を提案している。ベチバーの根は、消臭成分を有しているので、消臭剤としての機能を達成できる。
【００２７】
しかしながら、ベチバーの根が消臭成分を有しているとしても、ベチバーの根の抽出液が用いられるとすると、液体の消臭剤となってしまう。液体の消臭剤の場合には、上述の通り密閉空間の部位を有する靴や、乾燥させにくい衣服においては、液体である汗と混じった消臭剤が乾ききれなくて、履いたり着たりする場合に不快感が残る。
【００２８】
また、靴の中に液体である消臭剤を振り掛けることに抵抗を感じる人も少なくない。
【００２９】
加えて、ベチバーの根は独特の匂いを有しているので、この独特の匂いを有する液体の消臭剤を、靴の中に振り掛けることにも、別の抵抗感を感じることがある。家庭用としてこの消臭剤が用いられる場合には、嗜好に合致した人が用いるので問題ないが、ホテル、旅館、オフィスなどの公共空間に設置される場合には、嗜好が分かれやすい消臭剤は好ましくない。最大公約数的に万人受けしやすい消臭剤が、設置される傾向がある。
【００３０】
一方で、ベチバーの根の消臭成分は、天然成分であり、市販されている化学的成分のような副作用を生じさせる心配がない。特に、近年多いアレルギーを生じさせることも無く、安心して使用できる。しかしながら、液体の消臭剤であることに基づく抵抗感や独特の匂いに基づく抵抗感を低減して、ホテルや旅館などで、密閉空間の部位を有する衣服の臭い（特に汗等に基づく臭い）を消臭する消臭剤が求められている。
【００３１】
本考案は、化学的成分を用いず、ベチバーの根の有する消臭機能を活用しつつ、靴などの密封空間の部位を有する衣服の臭いを消臭できる衣服用消臭剤を提供することを目的とする。
【課題を解決するための手段】
【００３２】
上記課題に鑑み、本考案の衣服用消臭剤は、通気性を有する通気孔を備える収容袋と、収容袋に収容される乾燥されたベチバーの根の裁断物および粉砕物の少なくとも一つと、を備え、収容袋は、裁断物および粉砕物の少なくとも一つを収容する内部空間と、内部空間の外周を封止する封止部を有する袋状部材であり、衣服が有する内部空間に装入して使用される。
【考案の効果】
【００３３】
本考案の衣服用消臭剤は、液体成分ではなく固形成分を用いているので、靴などの密封空間を有する衣服にも、抵抗なく使用することができる。
【００３４】
加えて、使い切りで使用できるので、ホテルや旅館など不特定多数の人が使用する場合でも、衛生面の問題も少ない。特に、潔癖症や衛生に対してデリケートな人であっても、使いやすいメリットがある。
【００３５】
特に、芳香でごまかすのではなく、消臭機能を主として衣服の臭いを消臭できるので、洗濯等ができにくい場合や衣服であっても、その臭いの根本的原因を解決しやすいメリットがある。
【図面の簡単な説明】
【００３６】
【図１】本考案の実施の形態における衣服用消臭剤の模式図である。
【図２】イソ吉草酸および酢酸に基づく臭いの実験の実験方法を表す表である。
【図３】イソ吉草酸に基づく臭いの低減実験の実験結果を示す表である。
【図４】図３の表をグラフにして示したものである。
【図５】酢酸に基づく臭いの低減実験の結果を示す表である。
【図６】図５の表をグラフにして示したものである。
【図７】本考案の実施の形態における衣服用消臭剤の使用態様をしめす模式図である。
【考案を実施するための形態】
【００３７】
本考案の第１の考案に係る衣服用消臭剤は、通気性を有する通気孔を備える収容袋と、収容袋に収容される乾燥されたベチバーの根の裁断物および粉砕物の少なくとも一つと、を備え、収容袋は、裁断物および粉砕物の少なくとも一つを収容する内部空間と、内部空間の外周を封止する封止部を有する袋状部材であり、衣服が有する空間に装入して使用される。
【００３８】
この構成により、靴や服など汗等が染み込むことで生じる臭いを、衣服用消臭剤を衣服の閉鎖空間等に装入することで、低減することができる。
【００３９】
本考案の第２の考案に係る衣服用消臭剤では、第１の考案に加えて、収容袋は、収容しているベチバーの根の裁断物および粉砕物の少なくとも一つを封止する。
【００４０】
この構成により、封止することで、通気性のある収容袋からベチバーの根の裁断物や粉砕物からの消臭成分のみを放出し、裁断物や粉砕物がこぼれることもなく、衣服の内部に入れる使い勝手が高まる。
【００４１】
本考案の第３の考案に係る衣服用消臭剤では、第１又は第２の考案に加えて、収容袋は、靴の中、衣服のポケットの中に装入可能な大きさを有する。
【００４２】
この構成により、衣服用消臭剤が、靴や衣服の閉鎖空間の内部に装入でき、装入によって、臭いを低減させておくことができる。
【００４３】
本考案の第４の考案に係る衣服用消臭剤では、第１から第３のいずれかの考案に加えて、衣服は、靴、ズボン、上着、シャツのいずれかであり、収容袋の装入空間もしくは外部との連通困難な部位を有する。
【００４４】
この構成により、閉鎖空間において汗等による臭いが溜まりやすい場所において、特に、衣服用消臭剤は臭いを低減できる効果を発揮する。
【００４５】
本考案の第５の考案に係る衣服用消臭剤では、第１から第４のいずれかの考案に加えて、乾燥されたベチバーの根は、芳香成分が除去されている。
【００４６】
この構成により、ベチバー特有の匂いを気にしないで済む。
【００４７】
本考案の第６の考案に係る衣服用消臭剤では、第１から第５のいずれかの考案に加えて、ベチバーの根は、天日もしくは乾燥室において乾燥される。
【００４８】
この構成により、容易に乾燥ベチバーの根が得られる。
【００４９】
本考案の第７の考案に係る衣服用消臭剤では、第１から第６のいずれかの考案に加えて、乾燥されたベチバーの根の裁断物および粉砕物の少なくとも一つは、常温で裁断もしくは粉砕加工される。
【００５０】
この構成により、裁断や粉砕加工が容易となる。
【００５１】
本考案の第８の考案に係る衣服用消臭剤では、第１から第６のいずれかの考案に加えて、乾燥されたベチバーの根の裁断物および粉砕物の少なくとも一つは、氷温もしくは氷温以下の温度で裁断もしくは粉砕加工される。
【００５２】
この構成により、裁断や粉砕においてのベチバーの根の細胞破壊を抑えることができる。
【００５３】
本考案の第９の考案に係る衣服用消臭剤では、第１から第８のいずれかの考案に加えて、収容袋は、芳香素材を更に収容する。
【００５４】
この構成により、消臭機能に加えて、芳香機能をも有することができる。
【００５５】
本考案の第１０の考案に係る衣服用消臭剤では、第９の考案に加えて、芳香素材は、ミント、イランイランおよび精油の少なくとも一つである。
【００５６】
この構成により、芳香成分による爽快感が高まる。
【００５７】
本考案の第１１の考案に係る衣服用消臭剤では、第９の考案に加えて、芳香素材は、ベチバーの根の水溶性抽出液を含む。
【００５８】
この構成により、消臭成分を高めつつ芳香機能も加えることができる。
【００５９】
以下、図面を参照しながら、本考案の実施の形態を説明する。
【００６０】
（実施の形態）
【００６１】
（全体概要）
ベチバー（学名「Ｖｅｔｉｖｅｒｉａ  Ｚｉｚａｎｉｏｄｅｓ」）は、インド原産のイネ科の多年草であり、乾燥させたその根が実施の形態１の粉末に用いられる。ベチバーは、すすきに似た葉を有し、その葉は、２〜３ｍの永さに達する。加えて、その根は１〜２ｍの地下深くに成長し、強い香を有している。この根が水蒸気蒸留して乾燥されることで、実施の形態で用いられるようになる。ベチバーの根は、乾燥されることで、本来的に有する効能を発揮するようになる。この効能は、消臭機能を含む。
【００６２】
ベチバーの根は、種々の成分を含有しているが、主にベチベロールなどを含んでいる。
【００６３】
実施の形態における衣服用消臭剤は、このベチバーの根を乾燥させて得られる乾燥したベチバーの根の裁断物および粉砕物の少なくとも一つを用いる。
【００６４】
図１は、本考案の実施の形態における衣服用消臭剤の模式図である。衣服用消臭剤１は、通気性を有する収容袋２と、この収容袋２に収容される乾燥されたベチバーの根（以下、「乾燥ベチバー根」という）の裁断物および粉砕物の少なくとも一つ４（以下、「裁断粉砕物」という）を備える。収容袋２は、裁断粉砕物４を封入可能な開口部３を有しており、この開口部３は、裁断粉砕物４を封入した後で、封止される。
【００６５】
また、収容袋２は、内部空間を有しており、この内部空間に裁断粉砕物４を収容する。内部空間に裁断粉砕物４を収容した後で、外周が封止される。この封止によって、収容袋２は、袋状の部材となりその内部に裁断粉砕物４を封止した状態となる。また、収容袋２は、通気性を有する通気孔を備えており、この通気孔から裁断粉砕物４の有効成分が漏れ出る。しかしながら、通気孔からは裁断粉砕物４はもれ出ない。もちろん、外周も封止されているので、漏れでない。
【００６６】
加えて、収容袋２は、略方形、略円形、略楕円形、略多角形の外形を有していることも適当である。これらの外形を有していることで、衣服用消臭剤１が、衣服のポケットや靴の中などに、装入されやすくなるからである。
【００６７】
このように、実施の形態における衣服用消臭剤１は、袋状の収容袋２に消臭機能を有する乾燥ベチバー根の裁断粉砕物４を収容した匂い袋のような形態・態様を有している。また、収容袋２は、靴の中や衣服のポケット中に装入可能である大きさや厚みを有していることが適当である。また、形状も方形や円形などであることが適当である。
【００６８】
衣服用消臭剤１は、このような形態や態様を有していることで、自宅はもちろんであるが、ホテルや旅館など、不特定多数が使用する部屋や種々の空間に個別に設置しておくことができる。例えば、宿泊客用に、宿泊室に毎日入れ替えておいておくことができる。あるいは、ホテルや旅館のフロントで、宿泊客のそれぞれに、衣服用消臭剤１を渡すこともできる。
【００６９】
衣服用消臭剤１は、袋状の収容袋２に、液体ではなく固体である乾燥ベチバー根の裁断粉砕物４を収容した上で、上述のような大きさや形状を有していることで、個人単位で使用や配布が行いやすい。このように個人単位で配布や使用がされることで、不特定多数の人が使用する場合でも、一つの衣服用消臭剤１は、特定の人にのみ使用されることになる。このため、衛生面等でも適切であり、衛生面や清潔面でデリケートな人にとっても好適である。
【００７０】
例えば、衣服用消臭剤１の外形を形成する袋状の収容袋２は、縦が２ｃｍ〜１０ｃｍ程度であり、横も２ｃｍ〜１０ｃｍ程度であるのが好ましい。更に好ましくは、縦、横のそれぞれが、３ｃｍ〜６ｃｍ程度である。また、厚みは１ｃｍ程度であるのが好ましい。この程度の大きさを有していることで、靴の中や衣服のポケットの中に容易に装入できるからである。
【００７１】
また、収容袋２が、このような大きさを有することで、多数の顧客において、個々人に個別に渡されることができる。このため、特定の人のみに、一つの衣服用消臭剤１が使用されることになる。結果として、一つの衣服用消臭剤１が、不特定多数の人に重複して使用されにくくなり、衛生面にデリケートな人にとっても、不快感がない。このため、衣服用消臭剤１は、ホテルや旅館など、不特定多数の人が利用する場所であって、衣服の臭いが気になりやすい場所において、公的に利用できる。
【００７２】
また、上述のような大きさや形状を有していることで、靴、ズボン、上着、シャツのいずれかの衣服に使用されやすい。これらいずれかの衣服は、出張先や旅行先のホテルや旅館などにおいて、洗濯や乾燥させにくく、汗等の染み込みによる匂いが気になるからである。
【００７３】
なお、ここで挙げた大きさや形状は一例であり、これに限られるものではない。
【００７４】
このように、靴の中や衣服のポケットに衣服用消臭剤１が装入されることで、例えば宿泊時の夜間において、衣服用消臭剤１は、衣服から発せられる臭いを消臭できる。特に、汗に基づく不快な臭いを消臭できる。
【００７５】
例えば、ホテルや旅館の部屋ごとに、衣服用消臭剤１が備え付けられている。あるいは、ホテルや旅館のフロントで、宿泊客ごとに、衣服用消臭剤１が渡される。こうして、宿泊客の単位で、衣服用消臭剤１が渡されるようになる。衣服用消臭剤１を受け取った各人は、衣服用消臭剤１を靴の中や衣服のポケットに入れる。就寝中においては、靴の中や衣服のポケットの中にこの衣服用消臭剤１が入れられたままとなる。
【００７６】
このように、一晩中衣服用消臭剤１が装入されていることで、靴や衣服の臭いが一晩の間に消臭される。すなわち、出張や旅行中での靴や衣服を使用しない時間帯を利用して、その臭いを低減させることができる。この結果、翌日から、再び気持ちの良い靴などの衣服の使用が可能となる。
【００７７】
ここで、収容袋２は、通気性を有する。例えば、不織布で収容袋２が形成されても良い。収容袋２は、その内部空間に乾燥ベチバー根の裁断粉砕物４を収容している。裁断粉砕物４は、乾燥ベチバー根の有する消臭機能を発揮する。この裁断粉砕物４の発揮する消臭機能は、収容袋２の通気性のある通気経路を通じて、外部に放出される。この外部に放出された消臭機能によって、衣服用消臭剤１は、衣服の臭いを低減できる。
【００７８】
以上のような構造と機能によって、衣服用消臭剤１は、閉鎖空間を一部に有する衣服であって、特に出張先や旅行先で洗濯や乾燥が困難な衣服の臭いを低減することができる。もちろん、出張先や旅行先だけでなく、靴や上着など、洗濯や乾燥させにくかったり、閉鎖空間を一部に有することで、臭いが蓄積しやすかったりする衣服の臭いを家庭などで低減することもできる。
【００７９】
また、衣服用消臭剤１は、個別の収容袋２に、固形である裁断粉砕物４が収容されている。このため、液体の消臭剤を振り掛ける必要がなく、液体である汗や体液と混ざることがない。このため、使用における不快感が生じにくい。また、衣服用消臭剤１を、衣服を使用しない時間帯に装入しておくだけでよいので、作業の手間も少なくて済む。
【００８０】
次に、各要素の詳細について説明する。
【００８１】
（収容袋）
収容袋２は、通気性を有する袋である。内部空間を有しており、内部空間に乾燥ベチバー根の裁断粉砕物４を収容可能である。収容袋２は、通気性を有している。不織布で形成されることで、自然に通気性が生じることでもよいし、通気孔が形成されていることで、通気性が生じることでも良い。
【００８２】
収容袋２は、方形や円形を有しており、内部空間に裁断粉砕物４が収容されることで、一定のふくらみを持つ形態を有している。また、外周は封止されており、収容している裁断粉砕物４が外周からこぼれることはない。なお、収容袋２の外周の一部に開口部３が設けられており、この開口部３から裁断粉砕物４が収容される。裁断粉砕物４が収容された後で、開口部３が封止される。
【００８３】
この封止によって、収容袋２は、裁断粉砕物４を密封できる。
【００８４】
また、収容袋２は、通気性を有するが、裁断粉砕物４をこぼれさせることはない。すなわち、通気性を実現する繊維の隙間や通気孔の大きさは、裁断粉砕物４の大きさよりも小さい。あるいは、裁断粉砕物４の大きさを、通気孔よりも大きくしておくことでも良い。
【００８５】
このように、収容袋２は、衣服用消臭剤１の外形を形成しつつ、収容している裁断粉砕物４を収容して消臭機能を発揮する。なお、収容袋２は、開口部３が封止および開封を繰り返すことができることも好適である。使用者において、内部の裁断粉砕物４を入れ替えることができるからである。
【００８６】
（裁断粉砕物）
裁断粉砕物４は、乾燥ベチバー根が裁断および粉砕された少なくとも一方を含んでいる。
【００８７】
乾燥ベチバー根は、採取されたベチバーの根が天日や乾燥室において乾燥されたものである。また、アルコール抽出、熱水抽出、オートグレープ抽出などの抽出方法でその精油成分が抽出された後の根であってもよい。後者の場合も、抽出の過程で、ベチバーの根が乾燥するからである。
【００８８】
このため、乾燥ベチバー根は、芳香成分が除去されていることも好適である。もちろん芳香成分が残っていても良いが、消臭機能のみを発揮できるように芳香成分が除去されている乾燥ベチバー根が用いられてもよい。芳香成分が除去されていることで、衣服用消臭剤１は、ベチバーの根の特有の匂いを低減できる。
【００８９】
乾燥ベチバー根は、乾燥された状態で、裁断もしくは粉砕される。
【００９０】
裁断される場合には、数ｃｍ程度の長さに、乾燥ベチバー根は裁断される。このとき、裁断機や裁断器具で、乾燥ベチバー根が裁断されればよい。また、裁断においては、収容袋２に収容しやすい長さに裁断されることが好ましい。
【００９１】
また、粉砕される場合には、粉砕機等の機械で粉砕される。あるいは、裁断機で、複数回に渡って裁断されることで、より細かに裁断されて粉砕された状態に近い態様とすることもできる。
【００９２】
このように、裁断もしくは粉砕によって、乾燥ベチバー根が、収容袋２に収容可能な大きさにされる。もちろん、不織布などで形成された収容袋２の繊維の隙間や通気孔からこぼれないことが必要なので、粉体までの細かさには粉砕されない。このため、裁断と粉砕とは、工程やその大きさの多少の相違を示すものであり、特段の区別をするものではない。ようは、乾燥ベチバー根が、収容袋２内部に収容できると共に、収容後の衣服用消臭剤１が、衣服に装入可能な柔軟性を有する程度の大きさにされればよい。
【００９３】
また、乾燥ベチバー根が、裁断または粉砕されることで、その表面積が増加する。この表面積の増加によって、収容袋２に収容される乾燥ベチバー根の裁断粉砕物４は、より高い消臭効果を発揮できる。収容袋２の内部空間には、裁断および粉砕された少なくとも一つが収容される。要は、一定の大きさに細分化された乾燥ベチバー根が収容されていれば良い。
【００９４】
（裁断、粉砕工程）
乾燥ベチバー根は、常温で裁断加工もしくは粉砕加工されてもよい。常温で裁断加工もしくは粉砕加工されることで、作業が簡単となるからである。
【００９５】
あるいは、乾燥ベチバー根は、氷点下以下の温度で裁断加工もしくは粉砕加工されてもよい。氷点下以下の温度で裁断加工もしくは粉砕加工されることで、乾燥ベチバー根の硬度が高くなった状態での加工となり、加工精度が高くなるからである。特に、裁断や粉砕においては、乾燥ベチバー根の細胞を破壊する。切断面や粉砕面での細胞の破壊は仕方がないが、その周囲の多くの細胞までが、切断や粉砕において破壊されることは、裁断粉砕物４の消臭能力にとって好ましくない。
【００９６】
氷点下以下の温度で裁断や粉砕がされると、乾燥ベチバー根の硬度が高くなっているので、裁断加工や粉砕加工において、裁断面や粉砕面の広い周囲において細胞が破壊されにくい。この結果、裁断粉砕物４の消臭能力が裁断や粉砕によって低下する懸念が減少する。
【００９７】
このように、裁断加工や粉砕加工は、乾燥ベチバー根を低温化において行う事も好適である。
【００９８】
以上のような工程によって裁断や粉砕されて得られる乾燥ベチバー根の裁断粉砕物４が、収容袋２の内部空間に封入されて、衣服用消臭剤１が製造される。この衣服用消臭剤１は、靴の中や服のポケットの中に装入されておくことで、靴や服（衣服）の臭いを低減できる。
【００９９】
なお、乾燥ベチバー根の裁断粉砕物４の消臭能力は、一定期間維持されるので、使用者は、小型の衣服用消臭剤１を使い捨てにするだけでなく、繰り返し使用しても良い。例えば、かばんの中やたんすの引き出しの中に入れておくことで、消臭機能を一定期間に渡って発揮させることも好適である。
【０１００】
例えば、ホテルや旅館で衣服用消臭剤１を入手した使用者は、宿泊中に使用した後でそのまま廃棄してもよい。この場合には、衣服用消臭剤１は、使い捨てとされる。あるいは、使用者は持ち出しても良い。この場合には、繰り返し使用することができる。
【０１０１】
このように、衣服用消臭剤１は、靴や服のポケットを始めとした閉鎖空間に装入しておくことができるので、様々な場面での容易な使用が可能である。
【０１０２】
（消臭、芳香能力の向上）
収容袋２は、裁断粉砕物４以外に、芳香素材を更に収容しても良い。乾燥ベチバー根の裁断粉砕物４は、消臭能力を有している。この消臭能力によって、衣服用消臭剤１が、靴や服のポケットの中に装入されることで、臭いが低減される。
【０１０３】
しかしながら、使用者によっては、臭いが低減されるだけでなく心地よい匂いを有する状態となることを好む場合もある。このため、収容袋２が、裁断粉砕物４に加えて、芳香素材を更に収容することも好適である。
【０１０４】
芳香素材は、ミントやイランイランなどの芳香成分を発することのできる乾燥物であってもよい。あるいは、芳香成分を有する精油であってもよい。ミントは、非常にすっきりとしたさわやかな匂いを発するからである。また、イランイランは、心の不安やイライラを和らげる機能を有しているからである。
【０１０５】
ここで、芳香素材として乾燥物が用いられる場合には、裁断粉砕物４と共に、収容袋４の内部空間に封入されればよい。また、精油が用いられる場合には、裁断粉砕物４に染み込まされて使用されれば良い。この精油には、ミントやイランイランなどの芳香成分を有する植物等から抽出された精油も含む。
【０１０６】
また、芳香素材として、ベチバーの根の水溶性抽出液が用いられてもよい。ベチバーの根は、熱水抽出、アルコール抽出、オートグレープ抽出などの抽出方法によって、水溶性抽出液が得られる。この水溶性抽出液は、乾燥ベチバー根の消臭成分を有している。特に、乾燥ベチバー根をそのまま裁断や粉砕したものに比較して、消臭成分が凝縮しているので、消臭能力が高い。また、特有の芳香成分を有しており、この芳香成分を衣服用消臭剤１が発揮できる。
【０１０７】
このベチバーの根の水溶性抽出液が芳香成分として用いられることで、芳香成分を加えつつ、消臭能力を高めることができる。なお、精油の場合と同じく、ベチバーの根の水溶性抽出液は、裁断粉砕物４に染み込まされておけばよい。
【０１０８】
（収容袋の工夫）
また、収容袋２が多重構造になっていることも好適である。多重構造となっていることで、収容している裁断粉砕物４の消臭能力が低下するのに合わせて、多重構造の外周を破りとることができる。つまり、多重構造の収容袋２の外周が脱皮していくように取り外されることで、裁断粉砕物４の発する消臭成分がより強く出るようになる。
【０１０９】
また、収容袋２は、靴の中などに入れられる。このため、使用者にとっては繰り返し使用することに不快を感じることもある。このような場合にも、収容袋２が多重構造を有しており、外周を次々と破りとることができれば、収容袋２の表面が新しい状態となる。この結果、使用者は抵抗感なく繰り返し使用ができる。
【０１１０】
以上のような工夫によって、使い勝手だけでなく、消臭能力や使用感を高めることもできる。
【０１１１】
（実験結果）
実施の形態で説明した衣服用消臭剤１の消臭能力を確認する実験を行った。実験結果を説明する。
【０１１２】
図１に示されるように、不織布で形成した収容袋２に、乾燥ベチバーの根の裁断粉砕物４を封入した衣服用消臭剤１を、検体として、臭いの低減効果を測定した。測定した臭いは、イソ吉草酸に基づく臭いと、酢酸に基づく臭いである。これらの臭いは、いずれも汗や体液が染み付いたことによって靴や服などの衣服から発せられる臭いの一つである。もちろん、体臭の一つでもある。
【０１１３】
（イソ吉草酸に基づく臭いの低減実験）
【０１１４】
（実験方法）
イソ吉草酸：東京化成工業株式会社製のイソ吉草酸（特級）から発生させたガスを使用
初期ガス濃度：１５ｐｐｍ
ガス検知管：株式会社ガステックの検知管を使用
検体：実施の形態で説明した乾燥ベチバー根の裁断粉砕物を封入した衣服用消臭剤
対照品：検体と同じ収容袋に封入した活性炭
実験操作：検体および対照品のそれぞれを、袋に入れて、当該袋に９Ｌの空気をいれた。また、この袋中に、イソ吉草酸から発生させたガスを、所定のガス濃度となるようにして、入れた。この状態で静置して、所定期間毎に、ガス検知管で、内部のガス濃度を測定した。なお、検体および対照品のいずれも入れない袋でも同様の実験操作を行い、空試験とした。
【０１１５】
図２は、イソ吉草酸および酢酸に基づく臭いの実験の実験方法を表す表である。この表に従って、それぞれの臭いの消臭能力を測定した。
【０１１６】
（実験結果）
図３は、イソ吉草酸に基づく臭いの低減実験の実験結果を示す表である。図４は、図３の表をグラフにして示したものである。
【０１１７】
図３、図４の結果から明らかな通り、検体である実施の形態で説明した衣服用消臭剤１は、活性炭と同レベルの消臭効果を、イソ吉草酸に対して発揮している。測定開始から２時間〜３時間で、ほぼ最小値に近いレベルまで消臭を実現している。例えば、実施の形態で説明したように、収容袋２に裁断粉砕物４が収容されて構成される衣服用消臭剤１は、出張先や旅行先において就寝中などに、靴や服のポケットに入れて使用することが考えられるが、就寝中の時間で十分な消臭が実現できることが分かる。
【０１１８】
また、イソ吉草酸は、汗などを原因とする臭いの一つであり、これが抑えられることで、衣服に付着した汗による不快な臭いが抑えられることもわかる。このように、実験結果からも、実施の形態で説明した衣服用消臭剤１は、イソ吉草酸に対する十分な消臭効果を有することが確認された。当然ながら、汗等に基づく不快な臭いを抑えることができる。
【０１１９】
（酢酸に基づく臭いの低減実験）
【０１２０】
（実験方法）
酢酸：小宗化学薬品株式会社製の酢酸（特級）から発生させたガスを使用
初期ガス濃度：５０ｐｐｍ
ガス検知管：株式会社ガステックの検知管を使用
検体：実施の形態で説明した乾燥ベチバー根の裁断粉砕物を封入した衣服用消臭剤
対照品：検体と同じ収容袋に封入した活性炭
実験操作：検体および対照品のそれぞれを、袋に入れて、当該袋に９Ｌの空気をいれた。また、この袋中に、酢酸から発生させたガスを、所定のガス濃度となるようにして、入れた。この状態で静置して、所定期間毎に、ガス検知管で、内部のガス濃度を測定した。なお、検体および対照品のいずれも入れない袋でも同様の実験操作を行い、空試験とした。
【０１２１】
なお、実験方法は図２にも示されている。
【０１２２】
（実験結果）
図５は、酢酸に基づく臭いの低減実験の結果を示す表である。図６は、図５の表をグラフにして示したものである。
【０１２３】
図４、図５から明らかな通り、検体である実施の形態で説明した衣服用消臭剤１は、活性炭と同レベルの消臭効果を、酢酸に対して発揮している。測定開始から２時間〜３時間で、ほぼ最小値に近いレベルまで消臭を実現している。例えば、実施の形態で説明したように、収容袋２に裁断粉砕物４が収容されて校正される衣服用消臭剤１は、出張先や旅行先において就寝中などに、靴や服のポケットに入れて使用することが考えられるが、就寝中の時間で十分な消臭が実現できることが分かる。
【０１２４】
また、酢酸も、汗などを原因とする臭いの一つであり、これが抑えられることで、衣服に付着した汗による不快な臭いが抑えられることもわかる。このように、実験結果からも、実施の形態で説明した衣服用消臭剤１は、酢酸に対する十分な消臭効果を有することが確認された。当然ながら、汗等に基づく不快な臭いを抑えることができる。
【０１２５】
以上のように、２つの実験から、汗等を起因とする臭い成分を、実施の形態で説明した衣服用消臭剤１は、十分に消臭できることが確認された。
【０１２６】
イソ吉草酸や酢酸に基づく臭いは、汗が靴や服に蓄積して発する臭いの大きな一つであり、収容袋２に乾燥ベチバー根の裁断粉砕物４が収容された衣服用消臭剤１は、靴や服のポケットの中に入れておくことで、この臭いを低減できる。この結果、出張先や旅行先で、靴や服を使用していない就寝中などの時間を利用して、衣服用消臭剤１は、消臭できる。このため、高い使い勝手を提供できる。
【０１２７】
図７は、本考案の実施の形態における衣服用消臭剤の使用態様をしめす模式図である。
【０１２８】
図７に示されるように、衣服用消臭剤１は、袋状の収容袋２をその中心的な外形としている。この収容袋２の内部空間に裁断粉砕物が収容される。更に収容袋２の外周２１が封止されることで、内部に収容された裁断粉砕物も封止される。収容袋２は、不織布などで形成されており、この不織布によって、通気性を有する通気孔が生じる。もちろん、不織布に孔を無数にあけることで、通気孔が形成されても良い。
【０１２９】
図７にように、衣服用消臭剤１が、適当な大きさであって袋状であることで、衣服のポケットや靴の中に容易に装入して用いることができる。なお、本考案の衣服用消臭剤は、衣服用消臭袋や衣服用消臭部材として把握されてもよい。
【０１３０】
なお、実施の形態で説明された衣服用消臭剤は、本考案の趣旨を説明する一例であり、本考案の趣旨を逸脱しない範囲での変形や改造を含む。
【図１】
0003187303.tif 000003
【図２】
0003187303.tif 000004
【図３】
0003187303.tif 000005
【図４】
0003187303.tif 000006
【図５】
0003187303.tif 000007
【図６】
0003187303.tif 000008
【図７】
0003187303.tif 000009